(57)【要約】【課題】    バリアフリーの扉として車椅子等でもスムーズに出入りができる、開口部装置を提供する。【解決手段】  上枠、下枠３０、および左右の枠からなる枠体と、枠体に収納される吊り障子とを備えた開口部装置であって、下枠上にガイド溝２１０を有するガイドフレーム２２０を備え、吊り障子の下部にガイド溝に係合すべき係合部を備えたガイド部材３００を具備し、係合部を、ガイド溝の長手方向端部のいずれか一方に設けられた開口部３１０からガイド溝内へ装填するとともに、ガイド部材にはガイド溝と協働して吊り障子の開閉動作を案内させ、開口部においてキャップ２８０、または障子にシール部２８２を備える。【選択図】      図５
2005068920.tif 000002
【特許請求の範囲】
【請求項１】
上枠、下枠、および左右の枠からなる枠体と、前記枠体に収納される吊り障子とを備えた開口部装置であって、
前記下枠上にガイド溝を有するガイドフレームが備えられ、
前記吊り障子はその下部に、前記ガイド溝に係合すべき係合部を備えたガイド部材を具備し、
前記係合部は、前記ガイド溝の長手方向端部のいずれか一方に設けられた開口部から前記ガイド溝内へと装填されるとともに、前記ガイド部材は前記ガイド溝と協働して前記吊り障子の開閉動作を案内し、
前記開口部において、キャップ又は前記障子にシール部が備えられている、
ことを特徴とする開口部装置。
【発明の詳細な説明】
【技術分野】
【０００１】
本発明は、障子下部にガイドローラーを備えた開口部装置に関する。
【背景技術】
【０００２】
近年、上吊り式の障子は、開閉操作に多くの力を必要とせず、静粛性にも優れることから、一般家庭の玄関をはじめ公共の施設や病院等の室内外の扉として幅広く施工されている。開口寸法を大きくとれば車椅子等の出入りも可能であり、バリアフリー仕様にもできる。上吊り障子はレールと吊り車によって上部を吊られ、また障子の下部には障子の開閉を円滑に行うためのガイドローラーが配されている。
【０００３】
特許文献１には、ガイドローラーが戸先側と戸尻側に２つ取り付けられた、片開きの上吊り障子が開示されている。図６に示すように、障子４００は上吊り式に構成され、その上端部には上枠４１０に形成したレール４１１上を滑走する戸車４２０を、ブラケット４２５を介して取り付けている。障子４００の下框４３０には下方を開放させたガイド溝４３５を形成し、ガイド溝４３５を案内するガイドローラー４５０を取り付けている。また、仕切り枠と戸先側の縦枠との間における下枠４４０の上部には、下方を開放させたガイド溝４６０を有するガイドフレーム４７０を設け、ガイド溝４６０に案内されるガイドローラー４８０をブラケット４９０を介して取り付けている。ブラケット４９０に取り付けられたガイドローラー４８０は、ガイドフレーム４７０の室外側面と下枠４４０との間から装着し、ブラケット４９０を介して障子４００の戸先面に回転自在に固定している。
【特許文献１】特開平６−１４６７２８号公報
【発明の開示】
【発明が解決しようとする課題】
【０００４】
しかし、ガイドフレームは、戸先側のガイドローラーを室外側から受け容れるために下枠より高く設けなければならず、下枠との段差が生じていた。そのため、車椅子等で出入りする場合には、この段差を乗り越える必要があり、バリアフリーの扉として難点があった。
【０００５】
そこで、本発明は、バリアフリーの扉として車椅子等でもスムーズに出入りができる、開口部装置を提供する。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１の発明は、上枠（２０）、下枠（３０）、および左右の枠（４０、５０）からなる枠体（９０）と、枠体に収納される吊り障子（１０）とを備えた開口部装置（２００）であって、下枠上にガイド溝（２１０）を有するガイドフレーム（２２０）が備えられ、吊り障子はその下部に、ガイド溝に係合すべき係合部を備えたガイド部材（３００）を具備し、係合部は、ガイド溝の長手方向端部のいずれか一方に設けられた開口部（３１０）からガイド溝内へと装填されるとともに、ガイド部材はガイド溝と協働して吊り障子の開閉動作を案内し、開口部において、キャップ（２８０）又は障子にシール部（２８２）が備えられている、ことを特徴とする開口部装置を提供して前記課題を解決する。
【０００８】
請求項１の発明によれば、ローラーをガイド溝の開口部からコンパクトに装着できるため、ガイドフレームを低く形成することができ、下枠との段差を小さくすることが可能である。
【発明の効果】
【０００９】
請求項１の発明によれば、ローラーをガイド溝の開口部からコンパクトに装着できるため、ガイドフレームを低く形成することができ、下枠との段差を小さくすることが可能となる。
【００１０】
本発明のこのような作用及び利得は、次に説明する発明を実施するための最良の形態から明らかにされる。
【発明を実施するための最良の形態】
【００１１】
以下本発明を図面に示す実施形態に基づき説明する。
【００１２】
図１は本発明にかかる開口部装置２００を室外側から示す正面図である。図示の開口部装置２００は、建物１の所定箇所に取り付けられる枠体９０と、枠体９０に取り付けられた片引の吊り障子である障子１０とを備えている。
【００１３】
枠体９０は、上枠２０、下枠３０、および左右の縦枠４０、および５０によって構成されており、上枠２０の室外側には、上枠２０を覆うように上枠カバー１００が取り付けられている。
【００１４】
障子１０は、上框１１、下框１２、左右の縦框１３、１４、および、これらの框に固定されたガラスパネル１５を有しており、右框１４には掘り込み引き手１６が形成されている。
【００１５】
図２は、図１におけるII−II線に沿った断面図である。なお、図２は障子１０が全閉した状態を示している。枠体９０の左右枠４０、および５０には、それぞれ袖パネル４１と、障子１０とを備えるための係合溝４２、および１７が形成されている。さらに、右枠５０は中空構造となっており、図２には表わされていないが、障子１０をスムーズに開閉させるための重りが、枠内、または右框１４内に吊り下げられている。全閉時において係合溝１７には障子１０の戸先側である右框１４が係合されており、障子１０を開放するには係合溝１７から右框１４を抜き出して、見付け左方向にスライドさせる。また、枠体９０のほぼ中央部には、仕切り枠（方立機能を持つ。）１８が取り付けられている。
【００１６】
また、図２には示されていないが、吊り障子である障子１０を自動的に閉じる機構として、障子１０の上端部にワイヤを介して重りが連結されており、また、上記のとおり、戸先側の中空の右枠５０内には、ワイヤを導く滑車を介して重りが垂下されている。さらに、緩衝用のシリンダ（図示せず）も設けられており、障子の開閉時における省力、および安全性が高められている。また、図２には現われていないが、障子１０の下框１２にはガイド溝が形成されており（図３参照）、このガイド溝を案内するガイドローラー２００が、下枠３０の幅方向の中央部付近に、戸尻側の位置となるよう取り付けられている。また、仕切り枠１８と右枠５０との間における下枠３０の上部には、ガイド溝２１０を備えたガイドフレーム２２０が、仕切り板１８と右枠５０との間の位置に設けられている。ガイドフレーム２２０には、ガイドフレーム２２０に案内されるガイドローラー２５０がブラケット２６０を介して取り付けられている。従って、障子１０が全閉された状態では、障子１０は２個のガイドローラー２００、および２５０により戸先側と戸尻側とが保持されるようになる。
【００１７】
図３は、図１におけるIII−III線に沿った断面図である。上枠２０は、室外壁７１、室内壁７０、上面７３、下面７４、および張出部７２を備えている。下面７４は、室外側辺が室外壁７１に合流されるとともに、さらに先端部を室外側に突出させ、障子１０のほぼ真上で上方向に折り曲げられたレール７５が形成されている。レール７５に載設された戸車７６はブラケット８０に回転自在に固定されている。ブラケット８０の固定面８１と障子１０の上框１１の上面１１ａとはねじ留めされることによって固定されており、障子１０が上枠２０に上吊り式に取り付けられている。
【００１８】
張出部７２の中間部からは、下方向に突出し、さらに室外方向に屈曲された嵌合部７７が形成されている。この嵌合部７７の先端部７７ａには、連結材１２０が嵌合されて固定される。連結材１２０の室内側には第一挟持面１２１、および第二挟持面１２２が形成されており、第一挟持面１２１、および第二挟持面１２２との間に形成された溝には嵌合部７７の先端７７ａが嵌合される。第二挟持面１２２は、第一挟持面１２１よりも室内側に長くとられているため嵌合部７７の下面７８全体を受けることができ、安定して固定される。また、連結材１２０の室外側には、正円の切断面であって、その円周から所定の長さの弧が長手方向に平行に切り取られて開口部とされている略筒形状の連結溝１２３が形成されている。連結溝１２３には上枠カバー１００が連結される。
【００１９】
上枠カバー１００の室内側面上方向には室外側面から室内方向に伸張されたスペース面１０１が形成されている。スペース面１０１の室内側先端部には、正円の切断面であって、その円周から所定の長さの弧が長手方向に平行に切り取られた略筒形状の回転部１０２が形成されている。回転部１０２は、連結溝１２３に隙間なく嵌め入れられる形状となっており、連結溝１２３と回転部１０２とは、嵌合部と、その嵌合部に対応する被嵌合部とを構成している。また、上記のとおり、連結溝１２３と回転部１０２とは略円筒状であるため、連結溝１２３内において回転部１０２が室内外方向に自由に回転可能となっている。かかる構成によって、上枠カバー１００が室内外方向に自由に開閉される。
【００２０】
上枠カバー１００は、上部を連結材１２０を介して張出部７２に回転可能に固定されている。また、上枠カバー１００は、下端部に折り返し部１０３を備えている。折り返し部１０３は、上枠カバー１００の室外面下端部が室内方向に屈曲されて形成された下面１０４と、下面１０４の室内側端部が上方向に屈曲されて形成された係止面１０５とを備えている。
【００２１】
一方、ブラケット８０には、障子１０を固定する固定面８１のほか、固定面８１の室外側端部が上方向に屈曲されて形成された取り付け面８２が備えられている。取り付け面８２には、２つの孔８２ａ、および８２ｂが形成されており、下記の係止片１５０をビス８３ａ、および８３ｂによって固定している。
【００２２】
係止片１５０は、ブラケット８０の取り付け面８２に固定される固定面１５１と、固定面１５１の下端部から室外方向に突出されて所定の長さに形成されたスペース面１５２と、スペース面１５２の室外側端部が下方向に屈曲されて形成された係止部１５３とで主に構成されている。固定面１５１には、ブラケット８０の孔８２ａ、および８２ｂと合うように孔１５１ａ、および１５１ｂが形成されており、上記のとおり、室外側から差込まれたビス８３ａ、および８３ｂによって、ブラケット８０に係止片１５０が固定される。また、室外側に突出するように設けられたスペース面１５２は、上枠カバー１００の下面１０４のほぼ真上の位置まで伸張されており、スペース面１５２の室外側端部より下方向に屈曲されて設けられた係止部１５３は、下面１０４と所定の間隔を保持しつつ、下部が折り返し部１０３の係止面１０５の上部と所定の間隔をおいて重なる位置に形成されている。この位置関係により、係止片１５０は上枠カバー１００のいずれの面にも当接されていないため、障子１０を左方向（紙面奥方向）に移動させて開ける場合には上枠カバー１００に干渉されることなくスムーズに開閉される。
【００２３】
また、上記のとおり、図３は障子１０が閉じられた状態を示しており、この状態において上枠カバー１００を開けようとしても、上枠カバー１００の下方を室外方向に回転させる動きが規制されるため開放されない。すなわち、上枠カバー１００、および係止片１５０の上述した形状により、上枠カバー１００の係止面１０５が係止片１５０の係止部１５３に突き当たることによって、回転の規制がなされるため、係止部１５３に突き当たった位置より室外側には上枠カバー１００は回転されない。一方で、係止面１０５の左部には切り欠き部（図示せず）が、障子の「開」状態において係止部１５３と重なる位置より上下方向にわずかに大きく形成されており、切り欠き部から係止部１５３が抜き出されることによって、上枠カバーが開放されるよう構成されている。
【００２４】
障子１０の下框１２は、下方が開放されたガイド溝２０１となっており、下枠３０には、障子１０のガイド溝２０１を案内するローラー２００が取り付けられている。また、下枠３０の上部中央付近には、下方が開放されたガイド溝２１０を有するガイドフレーム２２０が設けられており、固定面２２１が下枠３０にねじ２２２によって固定されている。ガイドフレーム２２０を覆い隠すためのガイドカバー２７０は、下枠３０の下面に下端部が係止されている。また、ガイドカバー２７０は下枠３０の室内側面に沿って形成され、ガイドフレーム２２０の上面に当接されるよう下枠３０の室内側面の上方で室外側方向に略９０度で屈曲されている。また、カバー２７０の先端部は、ガイドフレーム２２０の上面より室外側に伸張されたのち、アタッチメント２７５に嵌入されるよう下方に屈曲されている。
【００２５】
ガイドフレーム２２０のガイド溝２１０には、ガイド溝２１０に誘導されるローラー２５０がブラケット２６０を介して装着されている。ガイド溝２１０の高さは、ローラー２５０の高さと、ブラケット２６０の厚さとを合わせた長さ程度であり、ローラー２５０は下枠３０に近接している位置に装着されている。なお、以下の説明において、ブラケット２６０にローラー２５０が取り付けられている状態をガイドローラー３００とする。ブラケット２６０は、上方向に付設された取り付け面２６１によって、障子１０の戸先面に形成された孔１０ｃに取り付けられており、障子１０の開閉の動きに合わせてガイドローラー３００も移動される。また、同時に障子１０の内部において戸尻側に取り付けられているローラー２００も移動されるため、障子の開閉がスムーズに行われる。
【００２６】
このように、ローラー２５０が下枠３０に対してより近い位置となるように低く取り付けられているため、ガイドフレーム２２０の上に当接されたガイドカバー２７０と、下枠３０との段差は僅かである。
【００２７】
図４は、上記ガイドローラー３００がガイド溝２１０に装着される前の様子を示した斜視図である。ガイドローラー３００、およびその周辺部材は、障子１０（図示せず）を取り付ける前に予め開口部３１０（下記参照）に装着される。袖パネル４１（図４においては枠４５のみを示す。）の右側端部には仕切り枠１８が取り付けられており、仕切り枠１８の右側端部にカバー２７０の左側端部が当接されている。またカバー２７０の右側端部は右枠５０に当接されており、障子１０（図示せず）の横幅と略同長となるように形成されている。上記のとおり、下枠３０に固定されたガイドフレーム２２０は、カバー２７０の下側にカバー２７０と同じ長さで設けられており、また、長手方向右側端部がカバー２７０とともに室外側に突設されている。突設されることによって形成された開口部３１０には、障子１０（図示せず）の戸尻側（袖パネル４１側）からガイド溝ピース２８０が取り付けられる。
【００２８】
本発明は、上記下枠３０に取り付けられたガイドフレーム２２０周辺部材に特徴を有している。以下に、図５を参照しつつ、その構造を詳述する。
【００２９】
図５は、図４における鎖線の四角枠Ａの拡大図である。矢印ｙ１で示したガイド溝２１０の幅と、図示されているガイド溝２１０の高さとは、ローラー２５０の直径、および高さと略同一の長さとなるよう構成されており、ガイド溝２１０全体を室外側に突出させることにより開口部３１０が形成されている。従って、ガイドローラー３００を、この戸尻側の開口部３１０から装着することによってガイド溝２１０に隙間なく装着することができ、従来のように、下枠３０とガイドフレーム２７０との間にガイドローラー３００を装着するための高い段差を形成する必要がないため、ガイドフレーム２７０と下枠３０との段差を少なくすることができる。障子１０（図示せず）の戸尻側から装着されたガイドローラー３００は、ガイド溝２１０に沿って戸先側へ移動され、障子１０が枠体９０に取り付けられたのち、上記のとおり、障子１０の戸先面にブラケット２６０を介して移動可能に固定される。
【００３０】
カバー２７０の先端部が嵌合される嵌合孔２７７を備えたアタッチメント２７５は、下面をガイドフレーム２２０によって保持されている。ガイドフレーム２２０の室外側面２２１からは、さらに先端部を室外側に突設させた保持面２２２が形成されており、アタッチメント２７５の下面を支えている。アタッチメント２７５は、上記嵌合孔２７７を備えた本体部２７５ａと、上端部はカバー２７０と同じ高さであり下端部が障子１０に接触する傾斜面２７６とで構成されている。傾斜面２７６により、ガイドフレーム２２０、およびカバー２７０の室外側先端部が覆われるため意匠性に優れるとともに、スペーサーとしてガイドフレーム２２０、およびカバー２７０と、障子１０（図示せず）との間を保っている。
【００３１】
開口部３１０、およびアタッチメント２７５を覆うガイド溝ピース２８０は、ガイドローラー３００をガイド溝２１０に装着したのち取り付けられる。ガイド溝ピース２８０は、切断面が開口部３１０とほぼ同じ大きさである取り付け部２８１を備えており、取り付け部２８１が開口部３１０に嵌め入れられることによってガイド溝２１０がふさがれる。さらに、取り付け部２８１の戸尻面（図示せず）にはシール材２８２が備えられており、シール材２８２によって開口部３１０とともに、アタッチメント２７５の戸尻側面が覆われる。シール材２８２の室外側先端部２８２ａは、傾斜面２７６の室外側先端部２７６ａに揃うように形成されているため、開口部３１０、およびアタッチメント２７５の気密性が保持される。
また、図２に示すように、シール材２８２を障子１０の左框１３に取り付けることによって、上記と同様に気密性を保持することも可能である。
【００３２】
また、ガイド溝ピース２８０には、取り付け部２８１に形成された孔２８３が形成されており、孔２８３は、カバー２７０に形成された孔２７１、およびガイドフレーム２２０に孔２７１と合うように形成された孔（図示せず）に、上方向から差込まれたねじＮによってねじ留めされる。これらの構成により、開口部３１０においてこれらの部材が固定されている。
【００３３】
本発明では、ガイドフレーム２２０に形成された開口部３１０によって、ローラー２５０をコンパクトに装着することができ、下枠３０とカバー２７０との段差をローラー２５０の高さ程度にすることができるため、開口部装置２００の内外を車椅子等でも楽に出入りすることができる。また、袖パネル４１と障子１０との間に開口部３１０が形成されたことによって生じた隙間は、ガイド溝ピース２８０を装着することにより気密性を保持することができる。
【００３４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３５】
【図１】開口部装置を示す正面図である。
【図２】図１におけるII−II線に沿った断面図を示す。
【図３】図１におけるIII−III線に沿った断面図を示す。
【図４】戸先側ガイドローラーおよび、その周辺部材を示す斜視図である。
【図５】図４の鎖線による四角枠Ａで囲んだ範囲の拡大図を示す。
【図６】従来例を示す。
【符号の説明】
【００３６】
１０  障子（吊り障子）
２０  上枠
３０  下枠
４０  左枠
５０  右枠
９０  枠体
２００  開口部装置
２１０  ガイド溝
２２０  ガイドフレーム
２８０  ガイド溝ピース（キャップ）
２８２  シール材（シール部）
３００  ガイドローラー（ガイド部材）
３１０  開口部
【図１】
2005068920.tif 000003
【図２】
2005068920.tif 000004
【図３】
2005068920.tif 000005
【図４】
2005068920.tif 000006
【図５】
2005068920.tif 000007
【図６】
2005068920.tif 000008